(57)【要約】      （修正有）【課題】商品を載せる陳列用具であって、その前面に商品名やその他の商品に関する各種の情報を表示するようにした紙類にて形成したもので、少なくとも表示内容が明瞭に見得るように一定の形状を保持し得るようにする。【解決手段】商品を載せる底板２とこの底板より垂直に伸びる背面板３と、この背面板より前方向に折り曲げ傾斜した表示板１を１枚の紙で折り曲げ形成したもので、表示板と背面板とを接続する接続部４を有し、この接続部と表示板との境界線を曲線１０にすることにより表示板が常に表示内容が見やすい所望の傾斜角を保つようにした。【選択図】図１
0003103737.tif 000002
【実用新案登録請求の範囲】
【請求項１】
商品を載せる底面板よりほぼ垂直に上方に伸びる背面板と、背面板の上方端部より斜め前方に伸びるその表面が商品情報等の表示面をなす前面板とを有し、前記背面板の上端部と前記前面板とが接続部にて接続され、前記接続部と前記前面板とが凸形状の曲線にて接続することを特徴とする全体が紙類にて形成された商品陳列用具。
【請求項２】
前面板の先端部を内側に折り曲げた請求項１の商品陳列用具。
【考案の詳細な説明】
【技術分野】
【０００１】
本考案は商品陳列棚等において使用する商品陳列用具で、陳列する商品に関する物品名や商品情報を表示するための商品表示部分の構成、特徴を有する商品陳列用具に関するものである。
【背景技術】
【０００２】
従来の商品陳列用具は、図３に示すような構成で、前面には商品名、種類やその他商品に関する情報等を表示する表示板１を有し、また、商品を載せるための底板２と底板２よりほぼ垂直に伸び、またその上側端部に表示部１を接続してこれを支持する背面板３を有する形状のものである。
【０００３】
この商品陳列用具は、一般に合成樹脂や厚紙等にて形成される。
【０００４】
これら商品陳列用具のうち厚紙等の紙類にて形成される商品陳列用具は、一枚の厚紙を所定の形状、大きさにしたものを、更に折り目を形成し、この折り目部分より折って例えば図３に示すような形状に組み立てて形成する。
【０００５】
このような厚紙製の商品陳列用具は、使用中に折った部分が簡単に伸びる（折る前の元の状態またはそれに近い状態にもどる）。そのために表示部の表示内容が見にくくなりあるいは全く見えなくなる等の欠点がある。
【０００６】
特に、図３に示す形状の厚紙製商品陳列用具で、しかも背面板３の上端部から下方に折り曲げた表示板１は、図示する形状を保ちにくく、先端部分が上昇し折る前あるいはそれに近い状態にもどり好ましくない。この商品表示板１の先端が上昇した場合、その前面に表示されている商品名等の表示内容を見ることが出来ず、表示部としての役割を全くなさないことになる。
【０００７】
この欠点を解消するために、表示板１と背面板３の裏側に、金属片又はプラスチック片等を貼りつけることにより、図３に示す状態を保持するようにしたものが知られている。
【０００８】
しかし、このような手段は、商品部品の数が増し、陳列用具の作成が面倒になり、コスト高になり、また、不要になり廃棄する際、前記の金属片やプラスチック片を除去した後に再使用可能な一般の廃棄物と産業廃棄物として処理しなければならない等の問題もある。
【考案の開示】
【考案が解決しようとする課題】
【０００９】
本考案は、厚紙製であって、しかもそれを折り曲げて例えばほぼ図３に示すような形状としたもので、所望の形状を維持し得るようにした厚紙製の商品陳列用具を提供するものである。
【課題を解決するための手段】
【００１０】
本考案の商品陳列用具は、紙製であって底面板とその先端より上方に伸びる背面板と、背面板の上方端部より斜め方向に伸びる商品情報等の表示のための表示部を有する前面板（表示板）とよりなる１枚の紙を折り曲げることにより形成したもので、背面板と前面板とを接続する接続部を形成し、この接続部と前面板の境界部分（境界の線）が曲線をなすように構成したことを特徴とする。
【考案の効果】
【００１１】
本考案の商品陳列用具は、前面板（表示板）と背面板との間に両者を結ぶ接続部を形成し、この接続部と前面板とを結ぶ線が曲線となるようにして背面板に対する前面板の傾斜角度が常にほぼ所望角度になるようにして前面板（表示板）の表示内容が常に良好な状態にて見得る効果がある。
【考案を実施するための最良の形態】
【００１２】
本考案の実施の形態を図をもとに説明する。
【００１３】
図１、図２は本考案の商品陳列用具を示す図であって、図１は組み立てた状態を示す斜視図、図２は組み立て前の平面図である。
【００１４】
これら図において、１は前面板（表示板）、２は底板、３は背面板で、これらは、図３に示す従来の商品陳列用具と実質上同じ構成である。
【００１５】
しかし、本考案の商品陳列用具は、紙類にて形成されている点と、前面板（表示板）１と背面板３との間に幅が比較的小である接続部４を有することと、この接続部４と前面板１とが接する線状部分が前方に緩く突出した凸形状をした曲線１０をなすように構成された点で、図３の商品陳列用具とは相違する。
【００１６】
このように、本考案は、前面板１と背面板３との間に接続部４を設け、前面板１と接続部４とを曲線１０にて結んだことにより、紙類にて形成しても前面板１はほぼ所望の傾斜角を保持することになる。
【００１７】
そして、前面板（表示板）１の表面つまり図１の左側の面に商品に関する情報印刷等の手段にて表示するかあるいは前記表面に商品情報を記したものを貼る等の適宜手段にて表示したものを図１に示す状態にて、商品棚等に配置し、底面板上に商品を載せて用いるものである。
【００１８】
図２は、本考案の商品陳列用具の組み立て前の紙片を示す図で、１は前面板（表示板）の部分、２は底面板の部分、３は背面板の部分、４は接続部である。また、破線１０、１１、１２、１３、１４、１５にて示す部分は、折り曲げ用の線を示し、折り曲げ易いように溝を形成してある。
【００１９】
この紙片の折り曲げ線１０、１１、１２、１３を折り曲げて図１に示す本考案の商品陳列用具を形成する。
【００２０】
つまり、表示板１の部分を線１０に沿って紙面反対側へ折り曲げ、背面板３の部分を線１２に沿って紙面反対側へ曲げ、底面板２の部分を線１１に沿って紙面前方へ曲げることにより形成される。
【００２１】
尚、線１４に沿って折り曲げ、更にその先を切り込み２０に挿入して、底板３に対し背面板２が直角に保持される。
【００２２】
また、この実施例では、線１３に沿って前面板１の先の部分６を紙面の反対側へ折るようにしている。つまり、図１に示す前面板１の先の部分６のようになる。これにより前面板１の先端が重くなり、一層前面板１の傾斜角を常に所望の角に保ち得る上で、更に効果的である。
【産業上の利用可能性】
【００２３】
本考案の商品陳列用具は、底面板に商品を載せて使用するものであって、その商品に関する情報を前面板の裏面に表示されたもので、表示内容が見やすい形状を保持し得る。また、不要になった時の処理も容易である。
【図面の簡単な説明】
【００２４】
【図１】本考案の商品陳列用具の組み立てた状態の斜視図
【図２】本考案の商品陳列用具の組み立て前の状態の平面図
【図３】従来の商品陳列用具の斜視図
【符号の説明】
【００２５】
１      前面板
２      底面板
３      背面板
１０    曲線状の折り曲げ部
【図１】
0003103737.tif 000003
【図２】
0003103737.tif 000004
【図３】
0003103737.tif 000005